(57)【要約】【課題】マヨネーズやソースなどの粘性流体を先入れ先出しで排出しつつ、ユーザーの好みの量だけ排出する先入れ先出し式の流体収納容器を提供することである。【解決手段】先入れ先出し式の流体収納容器１０は、内部に粘性流体を収納し両端部に開口部を有する略円筒形状を含む本体部１２であって、粘性流体の吐出側に向けて先細り形状を有し、吐出側と反対側の粘性流体の補充側に螺合溝が形成される本体部１２と、螺合溝１８に螺合する螺合部２０を有し、補充側の開口部を密閉する補充側蓋部１４と、を備えることを特徴とする。【選択図】図１
2020138746.tif 000002
【特許請求の範囲】
【請求項１】
内部に粘性流体を収納し両端部に開口部を有する略筒形状を含む本体部であって、前記粘性流体の吐出側に向けて先細り形状を有し、前記吐出側と反対側の前記粘性流体の補充側に螺合溝が形成される本体部と、
前記螺合溝に螺合する螺合部を有し、前記補充側の前記開口部を密閉する補充側蓋部と、
を備えることを特徴とする先入れ先出し式の流体収納容器。
【請求項２】
請求項１に記載の先入れ先出し式の流体収納容器において、
前記本体部は、押圧することで変形可能な柔軟性物質で構成され、かつ、前記吐出側に向けて孔面積が小さくなっていることを特徴とする先入れ先出し式の流体収納容器。
【請求項３】
請求項２に記載の先入れ先出し式の流体収納容器において、
略円錐形状を有し、前記吐出側の前記開口部に先端部が嵌合することで前記粘性流体の吐出を停止する吐出側蓋部を備えることを特徴とする先入れ先出し式の流体収納容器。
【請求項４】
請求項１から請求項３のいずれか１項に記載の先入れ先出し式の流体収納容器において、
前記本体部は、前記粘性流体に応じて吐出量を変更可能なように、前記先細り形状を利用して前記吐出側の前記開口部を広げるための切断用目印が所定の間隔をおいて設けられていることを特徴とする先入れ先出し式の流体収納容器。
【発明の詳細な説明】
【技術分野】
【０００１】
本発明は、先入れ先出し式の流体収納容器に関する。
【背景技術】
【０００２】
従来、お好み焼き屋や串カツ料理などの飲食店などにおいて、マヨネーズやソースなどを客（ユーザー）の好みに応じて使用できるように、例えば、マヨネーズディスペンサーなどの容器にマヨネーズなどを入れて保管している。
【０００３】
一般的なマヨネーズディスペンサーは、マヨネーズの排出側（吐出側）にネジ式で着脱可能なキャップが装着されており、マヨネーズが少なくなるとキャップを開けて補充している。しかしながら、このマヨネーズディスペンサーは、マヨネーズの吐出側と補充側が同じ位置にあるため、後入れ先出し方式となり、古いマヨネーズが残ったままの状態になることがある。
【０００４】
本発明に係る技術として、例えば、特許文献１には、マヨネーズ容器本体の先端には、マヨネーズ注出口が設けられ、マヨネーズ容器の他端の底には補充口としてスクリューキャップ式の蓋が着脱自在に取り付けられ、その注出口と補充口のネジの構造を同じにしたボトムインマヨボトルが開示されている。
【先行技術文献】
【特許文献】
【０００５】
【特許文献１】特開２０１６−２０４０４９号公報
【発明の概要】
【発明が解決しようとする課題】
【０００６】
上記特許文献１のようなマヨネーズ容器を用いることで吐出側と補充側の位置を反対にすることで古いマヨネーズが先に排出されやすい傾向にあるが、特許文献１のような寸胴形状では大量にマヨネーズが排出されてしまうため、ユーザーの好みの量だけを排出するのが難しいという課題がある。
【０００７】
本発明の目的は、マヨネーズやソースなどの粘性流体を先入れ先出しで排出しつつ、ユーザーの好みの量だけ排出することが出来る先入れ先出し式の流体収納容器を提供することである。
【課題を解決するための手段】
【０００８】
本発明に係る先入れ先出し式の流体収納容器は、内部に粘性流体を収納し両端部に開口部を有する略筒形状を含む本体部であって、前記粘性流体の吐出側に向けて先細り形状を有し、前記吐出側と反対側の前記粘性流体の補充側に螺合溝が形成される本体部と、前記螺合溝に螺合する螺合部を有し、前記補充側の前記開口部を密閉する補充側蓋部と、を備えることを特徴とする。
【０００９】
また、本発明に係る先入れ先出し式の流体収納容器において、前記本体部は、押圧することで変形可能な柔軟性物質で構成され、かつ、前記吐出側に向けて孔面積が小さくなっていることが好ましい。
【００１０】
また、本発明に係る先入れ先出し式の流体収納容器において、略円錐形状を有し、前記吐出側の前記開口部に先端部が嵌合することで前記粘性流体の吐出を停止する吐出側蓋部を備えることが好ましい。
【００１１】
また、本発明に係る先入れ先出し式の流体収納容器において、前記本体部は、前記粘性流体に応じて吐出量を変更可能なように、前記先細り形状を利用して前記吐出側の前記開口部を広げるための切断用目印が所定の間隔をおいて設けられていることが好ましい。
【発明の効果】
【００１２】
本発明によれば、先細り形状を有する吐出側と反対側の粘性流体の補充側に螺合溝が形成され、この螺合溝に螺合可能な蓋部が設けられている。これにより、流体物の先入れ先出しを行いつつ、ユーザーの好みの量を排出可能としている。
【図面の簡単な説明】
【００１３】
【図１】本発明に係る実施形態の先入れ先出し式の流体収納容器を分解した側面図である。
【図２】本発明に係る実施形態の先入れ先出し式の流体収納容器の斜視図において、吐出側の先細り部の拡大図とともに切断用目印を示す図である。
【発明を実施するための形態】
【００１４】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１５】
図１は、先入れ先出し式の流体収納容器１０を分解した側面図である。図２は、先入れ先出し式の流体収納容器１０の斜視図において、吐出側の先細り部２４の拡大図とともに切断用目印を示す図である。
【００１６】
先入れ先出し式の流体収納容器１０は、マヨネーズなどの粘性流体を収納し、ユーザーが必要な量だけ粘性流体を排出させることができる容器である。先入れ先出し式の流体収納容器１０は、本体部１２と、補充側蓋部１４と、吐出側蓋部１６とを備えている。
【００１７】
本体部１２は、略円筒形状を含むロケットのような形状を有し、内部に粘性流体を収納する。粘性流体としては、マヨネーズ、ソース、マスタード、ケチャップなどの一般的なものは、もちろんのこと、液状の雲丹、甘酢、田楽味噌のような粘性の高い液体状のものであってもよい。
【００１８】
本体部１２は、上記のように、ロケットのような形状を有し、ロケット状の延伸方向に設けられた貫通孔の両端部には、補充側開口部１５と、吐出側開口部１７が形成されている。
【００１９】
吐出側開口部１７は、マヨネーズなどの粘性流体を排出するための孔である。補充側開口部１５は、本体部１２に収容されている粘性流体が不足気味になったときに、新たな粘性流体を補充するための孔である。
【００２０】
本体部１２は、補充側開口部１５の近傍には所定の溝幅の螺合溝が形成されており、そのまま同一の直径で吐出側に伸びた寸胴形状の寸胴部２３を有しているが、中央部から吐出側に向けて徐々に直径が小さくなる先細り形状の先細り部２４を有している。すなわち、本体部１２は、補充側から中央部は孔面積が同一であるが、中央部から吐出側に向けて孔面積が小さくなっている。
【００２１】
本体部１２において、寸胴部２３と、先細り部２４とを比較すると延伸方向の比が１：１と均等になるように設定されている。ここで、補充側開口部１５の直径Ｒと、吐出側開口部１７の直径ｒとの比については適宜設定することが可能であるが、例えば、１：２０に設定することが好ましい。
【００２２】
本体部１２は、ユーザーの指によって押圧されることで変形可能な柔軟性物質で構成されることが好ましく、例えば、ポリエチレンを用いることが好ましい。もちろん、その他の材質を用いてもよい。冷蔵庫内での保管や飲食店の店舗内での保管などを考慮して、耐冷温度が−３０℃で、耐熱温度が６０℃に設定されていることが好ましい。
【００２３】
本体部１２において、寸胴部２３は孔面積が同一であるが、先細り部２４は吐出側に向けて孔面積が徐々に小さくなっている。上記の例では、補充側開口部１５の直径Ｒと、吐出側開口部１７の直径ｒとの比について、例えば、１：２０と設定したが、粘性流体の種類によっては吐出側開口部１７の直径ｒが大きいほどが排出しやすいことがある。
【００２４】
このため、先細り形状のテーパーを利用して吐出側開口部１７を広げるための切断用目印が所定の間隔をおいて設けられていることが好ましい。切断用目印の一例として、図２（ａ）に示されるように先細り部２４の先端に周方向に沿って描かれる複数の切断線２６を設けることが好ましい。
【００２５】
また、図２（ｂ）に示されるように先細り部２４の先端に周方向に沿って描かれる複数の切欠き２８を設けてもよい。
【００２６】
吐出側蓋部１６は、略円錐形状を有し、吐出側開口部１７に先端部が嵌合することで吐出側開口部１７を密閉し、粘性流体の吐出を停止する。吐出側蓋部１６は、三角コーンのような底面を有し、図２に示されるように本体部１２を起立させて保持することが出来る。
【００２７】
吐出側蓋部１６は、適度な強度を有する材質で構成されていることが好ましく、例えば、ポリプロピレンを用いることが好ましい。もちろん、その他の材質を用いてもよく、本体部と同様に様々な環境下で保存されることを考慮して、耐冷温度が−３０℃で、耐熱温度が６０℃に設定されていることが好ましい。
【００２８】
補充側蓋部１４は、螺合溝１８に螺合する螺合部２０を有し、補充側開口部１５を密閉する機能を有する。補充側蓋部１４は、円柱形状の部材から本体部１２の螺合溝１８に螺合するための略円柱状の空間領域と凹凸状の螺合部２０とが形成されたキャップ構造を有している。
【００２９】
補充側蓋部１４は、適度な強度を有する材質で構成されていることが好ましく、例えば、ポリプロピレンを用いることが好ましい。もちろん、その他の材質を用いてもよく、本体部と同様に様々な環境下で保存されることを考慮して、耐冷温度が−３０℃で、耐熱温度が６０℃に設定されていることが好ましい。
【００３０】
続いて、上記構成の先入れ先出し式の流体収納容器１０の作用について説明する。串カツ料理の飲食店などでは、ソースやマヨネーズのみならず、液状の雲丹、甘酢、田楽味噌のような粘性流体を容器に保管して、飲食店の客（ユーザー）が味の好みに応じて必要な量だけ粘性流体を排出できるようにすることが求められている。
【００３１】
従来、これらの粘性流体を排出するためのディスペンサーは後入れ先出し式の構造となっているため、収容された粘性流体が少なくなる際に新しい粘性流体を補充して使用し続けると、古いものが長期間排出されずに賞味期限が過ぎてしまう虞がある。
【００３２】
これに対し、先入れ先出し式の流体収納容器１０によれば、ユーザーの指で本体部１２を押圧することにより、本体部１２に収納された粘性流体が吐出側開口部１７から排出される。ここで、吐出側開口部１７は補充側開口部１５に比べて小さい孔となるように設定されているため、微調整しながら必要な量だけ吐出することが出来るという利点がある。
【００３３】
また、本体部１２に収容された粘性流体の量が少なくなった場合には、補充側蓋部１４を図２に示される矢印Ａ方向と反対方向に回して開くことで補充側開口部１５を露出させる。この状態でマヨネーズなどの粘性流体を必要な分だけ補充することができる。
【００３４】
粘性流体の補充後は、補充側蓋部１４を矢印Ａ方向に回して補充側蓋部１４の螺合部２０を本体部１２の螺合溝１８に螺合することで、補充側開口部１５を密閉することができる。
【００３５】
このように、先入れ先出し式の流体収納容器１０によれば、新しい粘性流体は、補充側開口部１５から補充し、補充側開口部１５の反対側に位置する吐出側開口部１７から吐出される。したがって、先入れ先出し式でマヨネーズなどの粘性流体を使うことができるため、古いものが残ってしまうといったことがない。
【００３６】
また、先入れ先出し式の流体収納容器１０によれば、略円錐形状を有する吐出側蓋部１６により吐出側開口部１７を密閉しつつ、図２に示されるように、吐出側開口部１７が下側を向いた状態で起立させることができるため、粘性流体を吐出側開口部１７の近傍に集めることができる。これにより、吐出側開口部１７を外して使用する際にスムーズに粘性流体を排出することが出来る。
【００３７】
さらに、先入れ先出し式の流体収納容器１０は、図２（ａ）（ｂ）に示されるように、先細り形状を利用して吐出側開口部１７を広げるための切断用目印が形成されている。これにより、例えば、鋏などを用いて、図２（ａ）に示される複数の切断線２６のいずれか１つで切断することで、粘性流体の内容物の排出に適した開口部の大きさまで広げることができる。
【００３８】
また、鋏などを用いて、図２（ｂ）に示される切欠き２８に沿って切断してもよいが、切欠き２８については状況に応じて鋏などを用いずに手で切断することも可能である。なお、ここでは、複数の切断線２６や切欠き２８に沿って切断するものとして説明したが、これらに沿わずに切断してもよい。このように自由な場所で切断することで、より細かい単位で吐出側開口部１７の孔面積を広げることができるという利点がある。
【符号の説明】
【００３９】
１０  流体収納容器、１２  本体部、１４  補充側蓋部、１５  補充側開口部、１６  吐出側蓋部、１７  吐出側開口部、１８  螺合溝、２０  螺合部、２３  寸胴部、２４  先細り部、２６  切断線、２８  切欠き。
【図１】
2020138746.tif 000003
【図２】
2020138746.tif 000004
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
内部に粘性流体を収納し両端部に開口部を有する略筒形状を含む本体部であって、前記粘性流体の吐出側に向けて先細り形状を有し、前記吐出側と反対側の前記粘性流体の補充側に螺合溝が形成され、かつ、押圧することで変形可能な柔軟性物質で構成され、かつ、前記吐出側に向けて孔面積が小さくなる本体部と、
前記螺合溝に螺合する螺合部を有し、前記補充側の前記開口部を密閉する補充側蓋部と、
前記吐出側の前記開口部に嵌合することで前記粘性流体の吐出を停止させる吐出側蓋部と、
を備え、
前記本体部は、前記粘性流体に応じて吐出量を変更可能なように、前記先細り形状を利用して前記吐出側の前記開口部を広げるための切断用目印が所定の間隔をおいて設けられており、
前記吐出側蓋部は、前記切断用目印で切断されて広げられた前記吐出側の前記開口部の広さに応じて前記開口部からの前記粘性流体の吐出を停止するように嵌合可能な略円錐形状を有していることを特徴とする先入れ先出し式の流体収納容器。
【手続補正２】
【補正対象書類名】明細書
【補正対象項目名】０００８
【補正方法】変更
【補正の内容】
【０００８】
本発明に係る先入れ先出し式の流体収納容器は、内部に粘性流体を収納し両端部に開口部を有する略筒形状を含む本体部であって、前記粘性流体の吐出側に向けて先細り形状を有し、前記吐出側と反対側の前記粘性流体の補充側に螺合溝が形成され、かつ、押圧することで変形可能な柔軟性物質で構成され、かつ、前記吐出側に向けて孔面積が小さくなる本体部と、前記螺合溝に螺合する螺合部を有し、前記補充側の前記開口部を密閉する補充側蓋部と、前記吐出側の前記開口部に嵌合することで前記粘性流体の吐出を停止させる吐出側蓋部と、を備え、前記本体部は、前記粘性流体に応じて吐出量を変更可能なように、前記先細り形状を利用して前記吐出側の前記開口部を広げるための切断用目印が所定の間隔をおいて設けられており、前記吐出側蓋部は、前記切断用目印で切断されて広げられた前記吐出側の前記開口部の広さに応じて前記開口部からの前記粘性流体の吐出を停止するように嵌合可能な略円錐形状を有していることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】